(57)【要約】  斜めにねじれたソール（３）は、アンダーソール（１２）と、ミッドソール底（１１）とを備え、このうち後者は、前記アンダーソール（１２）に連結され、各種の硬質のインサート体（１５）が前記アンダーソール（１２）内に導入されることができる。ねじれ、柔軟性を有し、硬質または弾力性を有するプレート（１６）は、前記アンダーソール（１２）とともに、いくつかの部材からなっていてもよいミッドソール（１２、１６）を形成することができる。このねじれたプレート（１６）は、平坦なプレートからなっているか、または異なる厚みを有するプレートからなっている。
2008526269.tif 000002
【特許請求の範囲】
【請求項１】
アンダーソール（１２）と、ミッドソール底（１１）とを備えた斜めにねじれたソール（３）において、
前記ミッドソール底（１１）は、前記アンダーソール（１２）に連結され、各種の硬質のインサート体（１５）が前記アンダーソール（１２）内に導入され、前記アンダーソール（１２）は、硬質かつ耐摩耗性のソール底（１３）により密閉され、
ねじれたプレート（１６）は、前記ミッドソール底（１１）、前記アンダーソール（１２）および前記ソール底（１３）を有するソール（３）内に設けられ、前記アンダーソール（１２）とともにミッドソール（１２、１６）を形成する、斜めにねじれたソール（３）。
【請求項２】
ミッドソール（１２、１６）は、いくつかの部材からなる、請求項１に記載の斜めにねじれたソール（３）。
【請求項３】
前記ねじれたプレート（１６）は、前記ソール底（１３）が前記ねじれたプレート（１６）と同じねじれた形状を有するように、前記ソール底（１３）に連結されている、請求項１に記載の斜めにねじれたソール（３）。
【請求項４】
前記ねじれたプレート（１６）は、前記ミッドソール底（１１）が前記ねじれたプレート（１６）と同じねじれた形状を有するように、前記ミッドソール底（１１）に連結されている、請求項１に記載の斜めにねじれたソール（３）。
【請求項５】
前記ねじれたプレート（１６）は、異なる場所において異なる厚さを有する、請求項１に記載の斜めにねじれたソール（３）。
【請求項６】
前記ミッドソール底（１１）と前記ソール底（１３）との間のかかと領域（Ａ）において、前記アンダーソール（１２）は、歩行方向および水平線（Ｈ）に対して直角に、内側に厚くなったＶ字形状を形成し、
前記ミッドソール底（１１）と前記ソール底（１３）との間のつま先領域（Ｚ）において、前記アンダーソール（１２）は、歩行方向および水平線（Ｈ）に対して直角に、外側に厚くなったＶ字形状を形成し、
前記かかと領域（Ａ）から前記つま先領域（Ｚ）へのＶ字形状は、一方の形状から他方の形状へ所定の輪郭をもって形成されている、請求項１、２、または５に記載の斜めにねじれたソール（３）。
【請求項７】
前記ミッドソール底（１１）と前記ソール底（１３）との間のかかと領域（Ａ）において、前記アンダーソール（１２）は、歩行方向および水平線（Ｈ）に対して直角に、外側に厚くなったＶ字形状を形成し、
前記ミッドソール底（１１）と前記ソール底（１３）との間のつま先領域（Ｚ）において、前記アンダーソール（１２）は、歩行方向および水平線（Ｈ）に対して直角に、内側に厚くなったＶ字形状を形成し、
前記かかと領域（Ａ）から前記つま先領域（Ｚ）へのＶ字形状は、一方の形状から他方の形状へ所定の輪郭をもって形成されている、請求項１、２、または５に記載の斜めにねじれたソール（３）。
【発明の詳細な説明】
【技術分野】
【０００１】
本発明は、請求項１のプレアンブル部に記載のとおりの斜めにねじれたソールに関する。
【背景技術】
【０００２】
特許番号ＷＯ０１／１５５６０Ａ１は、以下のように述べる。「非常に複雑な靱帯-筋肉-腱系統と敏感で直立した脊柱を有する人間は、平坦でない地面を自然に前進できるように構築されている。数千年の間、人間は、この自然な状態に従って自らの身体を使用し、維持してきた」。この特許出願において、ミッドソールおよび靴のソールの形状および構造が詳細に記載されている。ここに記載されたソール内の挿入物に関する研究が行なわれてきている。このような研究の結果および結論により、本特許出願が導かれた。
【０００３】
試験と観察により、自然な動作は、多かれ少なかれ以下のような順序に従うことが示される。かかとが地面に置かれた際、足はかかとの外縁部上に支えられる。次に、足は、再び足の母指球から蹴り上げ、親指の先が２つの足の間の中心方向を向くまで、歩行方向に対してある角度で内方に回転する。足の底の上に配分される荷重は、足を斜めに横切って移動する。荷重線は、外方から荷重が加えられるかかとから、母指球および親指の先まで、足の底を横切って斜め内方に移動する。
【０００４】
このようになることは、健康な人の足跡によっても確認されている。子供の足跡は、大概つま先とともに、かかと、足の外縁部、および足の母指球を足跡にて見ることができるが、足の甲の下の領域を見ることができないので、依然として正しい。年輩の人は、正しくない姿勢と、正しくないかかとからつま先への足の動作とにより、たいていこれと異なる足跡を有している。
【０００５】
文明化した人類において、何代にもわたり幼少の頃から靴を履く習慣が付いているため、足の変形は、以下のような特徴により見られる。すなわち、親指の先は、２つの足の間の中心線から外方へ向けられている。また、原始的部族において、親指の先は、常に２つの足の間の中心線方向を向くこともまた知られている。この理由は、蹴り上げる際、親指の先が、この位置においてよりうまく足の母指球を支持できるためである。
【０００６】
足に作用するこのような荷重のねじれは、靴および硬くて平坦な表面に慣れた文明社会の人類には見られない。平坦な表面上を歩く際、平坦なソールは、足に対してかかとからつま先へのまっすぐな動作を強制する。時間とともに、横荷重が変化して横方向への回転動作がわずかなものとなる。このような誤った回転動作は、膝関節および股関節により、また脊柱によっても補われなければならず、そして不完全な足の回転により、移動運動の全体のシステムに誤った負荷が加えられるという結果となる。このような結果として、我々の社会は、様々な姿勢に関わる関節の痛みの状態や脊柱の問題に苦しむ。
【０００７】
本発明は、足のソールの斜めの負荷曲線を有する自然な回転動作を穏やかに行なわせ、また、歩行の際、膝関節および股関節ならびに脊柱の、自然かつ力強い動作および負荷を穏やかに行なわせることにより、歩行の際、かかとの誤った配置およびかかとからつま先への誤った動作を正すことを目的とする。
【０００８】
この目的は、請求項１の特徴を有する斜めにねじれたソールにより達せられる。本発明による更なる特徴は、従属請求項に記載され、これらの利点については以下の記載により説明される。
【発明を実施するための最良の形態】
【０００９】
添付図面は、以下に記述される好ましい実施の形態を示す。
【００１０】
特許明細書ＷＯ０１／１５５６０Ａ１は、様々な足の荷重の類型が、アンダーソール１２内の硬質のインサート体１５の手段により、どのように得られるかを示す（図１）。主な焦点は、このようなソール３および靴１の類型により達せられる特定の治療上の措置である。上記冒頭に記載されたことは、一般論として正しいことが判明している。すなわち、とりわけ膝、腰または背中の痛みに苦しむ人にとって、歩行の際に足の荷重線がもはや足を斜めに横切ることがない。人が前方に「歩行」すれば、いわば、人はこの際歩行する方向を走る荷重線に沿って体重を足の上に配置する。結果として、膝関節および股関節は、常に同じポイントに負荷が加わる。歩行中における完全に動的な動作は存在しない。これにより、痛みを伴う疲労や、多くの場合関節痛を招く。
【００１１】
図１に記載の靴１、またはそのソール３により、ミッドソール底１１上の異なる硬さからなる異なる類型のインサート体１５を配置する手段により、望ましい荷重線をすでに得ることができる。これは、砂のような弾力性を有するアンダーソール１２により可能となる。したがって、この措置単独で、斜めのまたは自由に定義可能な荷重線の形状を実現することができる。
【００１２】
ソール底１３が、図２および図３に理論的に示される、斜めにねじれた形状を有するように、アンダーソール１２がソール底１３に対して効果的に形成されることが示されている。これらの図において、本発明の概念を示すためにねじれは非常に明確である。実際は、つま先領域Ｚにおいて角度αにより示され、かかと領域Ａにおいて角度βで指定されるねじれは、水平線Ｈに対して小さい角度である。加えて、ソール底１３のねじれは、常に患者の要求に適用され、また自由に設定される。特別な場合において、意図的にねじれさせることなく、代わりに足の変形、足の正しくない位置、または足の障害に順応させることも考えられる。
【００１３】
美観的な理由により、靴の外観は可能な限り普通に維持しようとするであろう。上述した構造により、これは不可能であり、またこの代わりに靴は表面が不安定となり、普通の靴と比べて外観が明白に異なる。図１２乃至図１９は、仮に、個々の硬いインサート体１５に代えてねじれたプレート１６が軟らかいアンダーソールに組込まれた場合、如何に同じ効果が達成されうるかを示す。この場合、ソール底１３は、図１３乃至図１８に示されるように、水平線Ｈに対して平行となる。このねじれたプレート１６は、硬いであろうし、また、完全に堅固になっているかまたは弾力的に柔軟であろうし、また、ミッドソール底１１に連結されているであろう。ミッドソール底１１とソール底１３との間は、ねじれたプレート１６と砂のような弾力性を有するアンダーソール１２との組合体により満たされている。ねじれたプレート１６およびアンダーソール１２は、一体として弾力性を有するミッドソール（１２、１６）を形成する。
【００１４】
このねじれたプレートは、様々な形状を有していても良い。仮にミッドソール底１１の面およびソール底１３の面の歩行方向に対する横断面が平行であると、このねじれたプレートは、図１３、１５、１６、および１８に示すように、異なる断面厚さを有するであろう。この場合、弾力性を有するミッドソール１２、１６は、ねじれたプレート１６が厚い部分において比較的硬くなり（例えば図１６、右）、その薄い部分において比較的軟らかくなる（例えば図１６、左）。
【００１５】
図２および３に示されるような平坦なねじれたプレート１６は、例えば図５、６、７、８、９、１０に示されるようにソール底１３に連結されるか、またはミッドソール底１１に連結され、この場合ミッドソール底１１はねじれたプレートの形状を有する。
【００１６】
本発明によれば、症状に適合するとともに日常の使用のために設計された靴を提供することにより、姿勢に関する様々な問題に苦しむ患者を支援することができる。この主な利点は、患者がいかなる運動も特別な体操もする必要がなく、これに代えて、このような靴を日常的に着用することにより治療がなされることにある。
【図面の簡単な説明】
【００１７】
【図１】靴の構造を示す図。
【図２】斜めにねじれたソールの理論上の側面図。
【図３】斜めにねじれたソールの理論上の正面図。
【図４】左の靴を示す図。
【図５】左の靴のつま先部分を示す断面図。
【図６】左の靴の中部３分の１を示す断面図。
【図７】左の靴のかかと部分を示す断面図。
【図８】右の靴のつま先部分を示す断面図。
【図９】右の靴の中部３分の１を示す断面図。
【図１０】右の靴のかかと部分を示す断面図。
【図１１】右の靴を示す図。
【図１２】左の靴を示す図。
【図１３】左の靴、ねじれたプレート、および硬い含有物のつま先部分を示す断面図。
【図１４】左の靴、ねじれたプレート、および硬い含有物の中部３分の１を示す断面図。
【図１５】左の靴、ねじれたプレート、および硬い含有物のかかと部分を示す断面図。
【図１６】右の靴、ねじれたプレート、および硬い含有物のつま先部分を示す断面図。
【図１７】右の靴、ねじれたプレート、および硬い含有物の中部３分の１を示す断面図。
【図１８】右の靴、ねじれたプレート、および硬い含有物のかかと部分を示す断面図。
【図１９】右の靴を示す図。
【図１】
2008526269.tif 000003
【図２】
2008526269.tif 000004
【図３】
2008526269.tif 000005
【図４】
2008526269.tif 000006
【図５】
2008526269.tif 000007
【図６】
2008526269.tif 000008
【図７】
2008526269.tif 000009
【図８】
2008526269.tif 000010
【図９】
2008526269.tif 000011
【図１０】
2008526269.tif 000012
【図１１】
2008526269.tif 000013
【図１２】
2008526269.tif 000014
【図１３】
2008526269.tif 000015
【図１４】
2008526269.tif 000016
【図１５】
2008526269.tif 000017
【図１６】
2008526269.tif 000018
【図１７】
2008526269.tif 000019
【図１８】
2008526269.tif 000020
【図１９】
2008526269.tif 000021
【国際調査報告】
2008526269.tif 000022
2008526269.tif 000023
2008526269.tif 000024
2008526269.tif 000025
2008526269.tif 000026
2008526269.tif 000027